(57)【要約】【課題】  カバー部材でグランドを取ることによって部品点数を少なくした電気部品用ソケットを提供すること。【解決手段】  基板５０上に配置されるものであって上方から電気部品４０が装着される箱状のハウジング２０と、金属材からなり上方から電気部品４０及びハウジング２０を被覆するカバー部材１とを有する電気部品用ソケットにおいて、カバー部材１はハウジング２０に取付けられた状態でハウジング２０の内部または外面近傍において垂下された接触片１０を有し、接触片１０を介して基板５０と導通してなる。【選択図】  図１
2006210036.tif 000002
【特許請求の範囲】
【請求項１】
基板上に配置されるものであって上方から電気部品が装着される箱状のハウジングと、金属材からなり上方から上記電気部品及びハウジングを被覆するカバー部材とを有する電気部品用ソケットにおいて、
上記カバー部材は上記ハウジングに取付けられた状態で該ハウジングの内部または外面近傍において垂下された接触片を有し、該接触片を介して上記基板と導通してなることを特徴とする電気部品用ソケット。
【請求項２】
上記接触片はコイル状のバネ体からなり、上記ハウジングには上記バネ体を上下方向に貫通させる貫通孔を設けると共に、上記カバー部材は上記貫通孔に納められたバネ体により上方に付勢されてなることを特徴とする請求項１記載の電気部品用ソケット。
【請求項３】
上記貫通孔は上記ハウジングの角部に形成され、上記貫通孔に納められるバネ体は上記カバー部材上面の角部に圧接することを特徴とする請求項２記載の電気部品用ソケット。
【請求項４】
上記接触片は上記カバー部材の上面から上記ハウジングの外面近傍において一体的に垂下されてなると共に、上記基板と導通する下端部に弾性を有した弾性部を備え、該弾性部により上記カバー部材を上方に付勢してなることを特徴とする請求項１記載の電気部品用ソケット。
【請求項５】
上記接触片は板状に形成され、上記弾性部は板状の接触片の先端部近傍を折り曲げて弾性を持たせたことを特徴とする請求項４記載の電気部品用ソケット。
【請求項６】
上記接触片は上記カバー部材の上面から上記ハウジングの外面近傍において一体的に垂下されてなると共に、下端部に挿入部を備え、上記基板は上記挿入部を納める挿入穴を有してなることを特徴とする請求項１記載の電気部品用ソケット。
【発明の詳細な説明】
【技術分野】
【０００１】
本発明は、電気部品を装着する電気部品用ソケットに関し、特に電気部品の上方から金属製のカバー部材を設けそれが基板に導通した電気部品用ソケットに関する。
【背景技術】
【０００２】
従来、電気部品を納める電気部品用ソケットとしては、複数のコンタクト端子が並置され、電気部品がハウジングに装着された際に、コンタクト端子を電気部品の底面に有する接触部と接触させて電気接続するものが使用されている。このような電気部品用ソケットとしては、例えば特許文献１に挙げるようなものがある。
【特許文献１】実開平５−８７８７３号公報
【０００３】
電気部品用ソケットのハウジングは上方に開放しており、電気部品を挿入することでハウジングに装着される。そして、電気部品が装着されたハウジングを基板上に固定配置することによって、コンタクト端子を介して電気部品と基板上の導通部とを電気接続可能とする。ここで、電気部品が装着されたハウジングは、静電気等による誤作動、故障を防止するため、導電性を有する金属枠によって囲まれ、この金属枠が基板に接合される。
【０００４】
また、電気部品用ソケットにおいては、ハウジングに電気部品を装着した後、カバー部材を電気部品の上方から装着し、電気部品を押さえることで、外部からの衝撃や落下等で電気部品がハウジングから抜けることを防止するようにしている。
【発明の開示】
【発明が解決しようとする課題】
【０００５】
上述のように従来の電気部品用ソケットは、電気部品の装着後、金属枠をハウジングに取り付け、カバー部材をさらにハウジングに取り付けていた。このため、従来の電気部品用ソケットは部品点数が多く、製品の小型化及びコストダウンは困難であった。
【０００６】
本発明は上記課題を鑑みてなされたものであり、カバー部材でグランドを取ることによって部品点数を少なくした電気部品用ソケットを提供することを目的とする。
【課題を解決するための手段】
【０００７】
上記課題を解決するため、本発明に係る電気部品用ソケットは、基板上に配置されるものであって上方から電気部品が装着される箱状のハウジングと、金属材からなり上方から上記電気部品及びハウジングを被覆するカバー部材とを有する電気部品用ソケットにおいて、
上記カバー部材は上記ハウジングに取付けられた状態で該ハウジングの内部または外面近傍において垂下された接触片を有し、該接触片を介して上記基板と導通してなることを特徴として構成されている。
【０００８】
また、本発明に係る電気部品用ソケットは、上記接触片はコイル状のバネ体からなり、上記ハウジングには上記バネ体を上下方向に貫通させる貫通孔を設けると共に、上記カバー部材は上記貫通孔に納められたバネ体により上方に付勢されてなることを特徴として構成されている。
【０００９】
さらに、本発明に係る電気部品用ソケットは、上記貫通孔は上記ハウジングの角部に形成され、上記貫通孔に納められるバネ体は上記カバー部材上面の角部に圧接することを特徴として構成されている。
【００１０】
さらにまた、本発明に係る電気部品用ソケットは、上記接触片は上記カバー部材の上面から上記ハウジングの外面近傍において一体的に垂下されてなると共に、上記基板と導通する下端部に弾性を有した弾性部を備え、該弾性部により上記カバー部材を上方に付勢してなることを特徴として構成されている。
【００１１】
そして、本発明に係る電気部品用ソケットは、上記接触片は板状に形成され、上記弾性部は板状の接触片の先端部近傍を折り曲げて弾性を持たせたことを特徴として構成されている。
【００１２】
また、本発明にかかる電気部品用ソケットは、上記接触片は上記カバー部材の上面から上記ハウジングの外面近傍において一体的に垂下されてなると共に、下端部に挿入部を備え、上記基板は上記挿入部を納める挿入穴を有してなることを特徴として構成されている。
【発明の効果】
【００１３】
本発明に係る電気部品用ソケットによれば、カバー部材はハウジングに取付けられた状態でハウジングの内部または外面近傍において垂下された接触片を有し、接触片を介して基板と導通してなることにより、カバー部材を基板に導通させてグランドを取ることができるので、従来において用いていた金属枠が不要となって部品点数を減らすことができ、製品の小型化及びコストダウンを図ることができる。
【００１４】
また、本発明に係る電気部品用ソケットによれば、接触片はコイル状のバネ体からなり、ハウジングにはバネ体を上下方向に貫通させる貫通孔を設け、カバー部材は貫通孔に納められたバネ体により上方に付勢されてなることにより、ハウジング内部に納められるバネ体がカバー部材と基板間を押圧状態とすることができるので、カバー部材を確実に基板と導通させておくことができ、静電気等による誤作動、故障を確実に防止することができる。
【００１５】
さらに、本発明に係る電気部品用ソケットによれば、貫通孔はハウジングの角部に形成され、貫通孔に納められるバネ体はカバー部材上面の角部に圧接することにより、バネ体がカバー体の他の部分に干渉しないように配置することができ、カバー体の設計の自由度を高めることができる。
【００１６】
さらにまた、本発明に係る電気部品用ソケットによれば、接触片はカバー部材の上面から一体的に垂下され、基板と導通する下端部に弾性を有した弾性部を備え、この弾性部によりカバー部材を上方に付勢してなることにより、ハウジングの外側にカバー部材を取付けるだけで、カバー部材を基板に対して確実に導通させることができ、容易に静電気等による誤作動、故障を防止することができる。
【００１７】
そして、本発明に係る電気部品用ソケットによれば、接触片は板状に形成され、弾性部は板状の接触片の先端部近傍を折り曲げて弾性を持たせたことにより、接触片を容易に形成でき、したがってカバー体を容易に製造することができる。
【００１８】
また、本発明にかかる電気部品用ソケットによれば、接触片はカバー部材の上面から一体的に垂下されてなると共に、下端部に挿入部を備え、基板は挿入部を納める挿入穴を有してなることにより、基板の挿入穴に対してカバー部材の接触片下端部を挿入するだけで、カバー部材を基板に対して確実に導通させることができ、容易に静電気等による誤作動、故障を防止することができる。
【発明を実施するための最良の形態】
【００１９】
本発明の実施形態について図面に添って詳細に説明する。図１は本実施形態における電気部品用ソケットと電気部品４０の斜視図、図２は本実施形態におけるハウジング２０の平面図、図３は図２のＡ−Ａ断面図、図４は図２のＢ−Ｂ断面図である。これら各図に示すように、本実施形態における電気部品用ソケットは、電気部品４０が装着されるハウジング２０と、ハウジング２０に装着された電気部品４０を上方から押さえるカバー部材１とから構成され、基板５０上に配置されて電気部品４０と基板５０とを電気接続するものである。また、ハウジング２０には電気部品４０と基板５０とを電気接続可能とするコンタクト端子３０が複数設けられている。
【００２０】
ハウジング２０に装着される電気部品４０は、数ミリメートル四方のシリコンなどの半導体を加工して、多数の回路素子を組み込み電子回路として機能するようにしたものである。本実施形態において電気部品４０は、さらに光学部品を組み込んだカメラモジュールとしている。ただし、電気部品４０としてはカメラモジュールには限られない。
【００２１】
また、電気部品４０は、側面下部に複数の接触部４１を有しており、ハウジング２０に装着して接触部４１とコンタクト端子３０を接触させることで、電気部品４０の基板５０に対する電気接続が可能となる。ここで、電気部品４０の側面４２上部には、後述するカバー部材１の爪部５と係合する被係合部４３が形成される。
【００２２】
電気部品４０を収容するハウジング２０は、図２及び図３に示すように樹脂等の絶縁材料から形成されると共に、上方が開放した箱状に形成される。ハウジング２０は、上方から電気部品４０が挿入され嵌め込まれることによって、電気部品４０が装着された状態となる。また、図１に示すように、ハウジング２０の各側壁２１外面にはカバー部材１と係合する係合溝２４がそれぞれ形成される。また、図２及び図４に示すように、ハウジング２０の側壁２１角部２３にはカバー部材１の接触片１０を上下方向に貫通させる貫通孔２５が形成される。
【００２３】
ハウジング２０に複数設けられるコンタクト端子３０は、金属等の導電性材料から細板状に形成され、その先端部に形成される接続部３１が電気部品４０の接触部４１と対応してハウジング２０内に配置されるものである。接続部３１は、図３に示すように接触部４１との接触を確実にするために断面略半円状に形成されている。
【００２４】
また、コンタクト端子３０は、図３に示すように、ハウジング２０の底部２２に配置されて基板５０と接続する接合部３２と、接合部３２から第１折り曲げ部３３を介してハウジング２０の側壁２１に沿って鉛直上方に延出する第１端子部３４と、第１端子部３４から第２折り曲げ部３５を介してハウジング２０の内側下方に向かって延出する第２端子部３６とを備え、第２端子部３６の先端に接続部３１が形成される。
【００２５】
コンタクト端子３０の接合部３２はハウジング２０の底部２２下面に露出しており、接合部３２下面が基板５０に半田付けされる。第１端子部３４と第２端子部３６は、図３に示すように、第２折り曲げ部３５により折り返して形成され、第２端子部３６が所定角度を有して下方に向かって延出しているので、左右方向に伸縮自在なバネとして弾性を有する。
【００２６】
第２折り曲げ部３５は、断面略半円状に折り返されて弾性を有している。このため、電気部品４０の挿入による接続部３１のハウジング２０側壁２１方向への移動を弾性支持することができ、電気部品４０の接触部４１との接圧を確保することができるため、接続部３１と接触部４１とをより確実に接触させることができる。
【００２７】
図５は、電気部品４０がハウジング２０内に装着された状態を示した断面図である。この図に示すように、電気部品４０が装着されるとコンタクト端子３０はハウジング２０の側壁２１方向に縮み、ハウジング２０の側壁２１内に収容されると共に、接続部３１と電気部品４０の接触部４１とが接触する。
【００２８】
電気部品４０が装着されたハウジング２０には、通電検査等の終了後カバー部材１が上方から装着される。図６にカバー部材１の正面図を示す。図１及び図６に示すように、カバー部材１は上面２と側面３、３とから構成され、上方から電気部品４０及びハウジング２０を被覆すると共に、ハウジング２０の側壁２１外面に係脱自在とされる。すなわち、カバー部材１をハウジング２０に装着することによって電気部品４０を覆い保護する。
【００２９】
本実施形態では、図１に示すように、カバー部材１の上面２は電気部品４０の上部に組み込まれた光学部品が露出するように開口部４が形成される。そして、開口部４の縁部には、電気部品４０の側面４２に形成される被係合部４３に係合する爪部５が複数形成される。
【００３０】
カバー部材１をハウジング２０に装着すると、爪部５によって電気部品４０を上方から押さえることになり、電気部品４０がハウジング２０から抜け出ることが防止される。また、カバー部材１の内側面３には、ハウジング２０の側壁２１外面に設けられた係合溝２４に係合する係合突部６がそれぞれ形成される。このため、カバー部材１はハウジング２０に強固に固定される。
【００３１】
また、カバー部材１は図１に示すように、ハウジング２０に取り付けられた状態で基板５０に導通可能とする接触片１０を有している。接触片１０は、金属等の導電性材料から形成され、弾性を有したコイル状のバネ体により構成される。そして、接触片１０はハウジング２０の側壁２１角部２３に形成された貫通孔２５に挿入される。本実施形態における接触片１０は、図１に示すようにカバー部材１と分離しているが、接触片１０をカバー部材１の上面２から垂下するように取り付け、一体的に構成してもよい。
【００３２】
図７は本実施形態に置ける電気部品用ソケットの組立斜視図であり、図８はカバー部材１がハウジング２０に装着された状態を示す断面図である。図８に示すように、バネ体である接触片１０を貫通孔２５内に配置した状態でカバー部材１を装着したので、接触片１０は上端がカバー部材１の上面２と接触し、下端が基板５０と接触する。すなわち、カバー部材１は接触片１０を介して基板５０と導通するため、カバー部材１によってグランドを取ることができ、静電気等による製品の誤作動、故障を防止することができる。
【００３３】
本実施形態では、カバー部材１に基板５０との導通を可能とする接触片１０を設けたので、従来用いていた金属枠が不要となり、部品点数を減らすことができる。このため、製品を小型化することができると共に、製造コストを低減することができる。
【００３４】
また、貫通孔２５内にバネ体である接触片１０を納めた状態でハウジング２０にカバー部材１を取り付けるので、カバー部材１の取り付けによって接触片１０は下方に縮み、カバー部材１は上方に付勢された状態となる。これにより、バネ体である接触片１０がカバー部材１と基板５０間を押圧状態とし、カバー部材１を確実に基板５０と導通させておくことができ、静電気等による誤作動、故障を確実に防止することができる。
【００３５】
本実施形態では、ハウジング２０の側壁２１内に貫通孔２５を設け、接触片１０を貫通孔２５内に配置したので、接触片１０を外部からの衝撃から保護することができ、常にカバー部材１と基板５０との導通状態を確保することができる。
【００３６】
また、貫通孔２５をハウジング２０の角部２３に設けることによって、接触片１０が他の部分と干渉しないように配置することができる。接触片１０をハウジング２０の角部２３に配置することにより、他の部分の設計の自由度を確保することができ、接触片１０を設けたことによる弊害がない。
【００３７】
本実施形態では、接触片１０を納める貫通孔２５をハウジング２０の角部２３に設けたが、接触片１０は、カバー部材１と基板５０とを導通させるものであるので、カバー部材１及び基板５０双方に接触可能な位置であれば、どの位置であっても構わない。
【００３８】
次に第２の実施形態について説明する。本実施形態における電気部品用ソケットは、第１の実施形態と同様、基板５０上に配置されるものであって電気部品４０が装着されるハウジング２０と、ハウジング２０に装着された電気部品４０を上方から押さえるカバー部材１とから構成されており、カバー部材１と基板５０とを導通可能にする接触片１０の構成が第１の実施形態とは異なるものである。図９は本実施形態における電気部品用ソケットの組立斜視図である。
【００３９】
図９に示すように、本実施形態ではカバー部材１の側面３に接触片１０が形成される。接触片１０は、上面２端部から一体的に垂下して板状に形成される。そして、カバー部材１がハウジング２０に取り付けられた状態でハウジング２０の外面近傍に配置され、下端部が基板５０に当接することによってカバー部材１と基板５０とを導通する。カバー部材１に接触片１１を一体的に形成することにより、カバー部材１をハウジング２０に取り付けるだけで、カバー部材１を基板５０に対して導通させることができ、容易に静電気等による誤作動、故障を防止することができる。
【００４０】
また、接触片１０の下端部には、弾性を有した弾性部１１を備えている。弾性部１１は、カバー部材１がハウジング２０に取り付けられた状態で、基板５０と弾性接触し、カバー部材１を上方に付勢する。
【００４１】
弾性部１１は、接触片１０の先端部近傍を折り曲げることによって、弾性を有するように形成している。このため、カバー部材１をハウジング２０に対して上方から取り付けると、接触片１０の下端部に備える弾性部１１が基板５０に当接し、さらにハウジング２０に対し装着状態とすることで、弾性部１１は基板５０と弾性接触する。これにより、弾性部１１はカバー部材１を上方に付勢することになり、カバー部材１を基板５０に対して確実に導通させることができる。
【００４２】
接触片１１は板状に形成されており、弾性部１１は接触片１０の先端部近傍を折り曲げただけの簡易な構成であるので、カバー部材１の製造が容易である。本実施形態では、図９に示すように、接触片１０を対向する一対の側面に設けることとしたが、本発明の適用はこれに限定されず、例えば、各側面３にそれぞれ設けてもよいし、一つの側面３に複数設けてもよい。
【００４３】
次に第３の実施形態について説明する。本実施形態における電気部品用ソケットは、第２の実施形態と同様、基板５０上に配置されるものであって電気部品４０が装着されるハウジング２０と、ハウジング２０に装着された電気部品４０を上方から押さえるカバー部材１とから構成されており、カバー部材１と基板５０とを導通可能にする接触片１０の構成が異なるものである。図１０は本実施形態における電気部品用ソケットの組立斜視図である。
【００４４】
本実施形態では、図１０に示すように、接触片１０はカバー部材１の側面３から垂下されて一体的に形成され、下端部に挿入部１２を有している。そして、基板５０には、接触片１０の挿入部１２に対応する位置に挿入穴５１が形成される。
【００４５】
挿入穴５１は、挿入部１２の断面形状に対応して形成され、カバー部材１の装着によって接触片１０の挿入部１２が差し込まれる。これにより、挿入部１２の外面が挿入穴５１の内面に当接し、カバー部材１と基板５０とを導通させることができる。
【００４６】
本実施形態では、基板５０の挿入穴５１に対して接触片１０の挿入部１２を挿入するだけで、カバー部材１を基板５０に対して導通させることができるので、容易に静電気等による誤作動、故障を防止することができる。また、基板５０の挿入穴５１を接触片１０の挿入部１２に対して深めに形成しておくことで、挿入部１２の製作誤差を許容することができるので、カバー部材１の製造が容易である。
【００４７】
以上、本発明の実施形態について説明したが、本発明の適用はこれら実施形態には限られず、その技術的思想の範囲内において様々に適用されうるものである。例えば、ハウジング２０内に並置されるコンタクト端子３０の位置及び数は、電気部品４０の接触部４１に対応して設けられるものであり、本実施形態に限定されない。
【図面の簡単な説明】
【００４８】
【図１】本実施形態における電気部品用ソケットと電気部品の斜視図である。
【図２】本実施形態におけるハウジングの平面図である。
【図３】図２のＡ−Ａ断面図である。
【図４】図２のＢ−Ｂ断面図である。
【図５】ハウジングと電気部品の関係を示した断面図である。
【図６】本実施形態におけるカバー部材の正面図である。
【図７】電気部品用ソケットの組立斜視図である。
【図８】カバー部材をハウジングに装着した状態を示す断面図である。
【図９】第２の実施形態における電気部品用ソケットの組立斜視図である。
【図１０】第３の実施形態における電気部品用ソケットの組立斜視図である。
【符号の説明】
【００４９】
１    カバー部材
２    上面
３    側面
４    爪部
５    係合突部
１０    接触片
１１    弾性部
１２    挿入部
２０    ハウジング
２３    角部
２４    係合溝
２５    貫通孔
３０    コンタクト端子
３１    接続部
４０    電気部品
４１    接触部
４３    被係合部
５０    基板
５１    挿入穴
【図１】
2006210036.tif 000003
【図２】
2006210036.tif 000004
【図３】
2006210036.tif 000005
【図４】
2006210036.tif 000006
【図５】
2006210036.tif 000007
【図６】
2006210036.tif 000008
【図７】
2006210036.tif 000009
【図８】
2006210036.tif 000010
【図９】
2006210036.tif 000011
【図１０】
2006210036.tif 000012